(57)【要約】【課題】専門家以外の誰でも簡単に工事監理の内容とその監理結果の判断・判定を把握することができ、また利便性（使い勝手）のよい工事監理情報を提供できるようにする。【解決手段】まず、第１層情報として、工事監理項目とその監理結果の一覧ならびに建築物に関する設計・施工図書の項目の一覧Ａが画面１２０（第１層情報画面）に表示され、この一覧表示にて工事監理の全体を把握することができるものとし、次に、その工事監理項目の詳細な内容または上記設計・施工図書の項目に対応する図面の内容が個別表示され、この個別表示により工事監理の詳細な内容等を適宜把握することができるものとする。【選択図】　図１
2004070812.tif 000002
【特許請求の範囲】
【請求項１】
建築物の施工の際に実施される工事監理の情報を提供する装置であって、
この装置は、その装置画面の構成として、工事監理項目とその監理結果の一覧を表示する第１層情報画面を有することを特徴とする工事監理情報の提供装置。
【請求項２】
上記第１層情報画面の中に、さらに建築物に関する設計・施工図書の項目の一覧が含まれていることを特徴とする請求項１に記載の工事監理情報の提供装置。
【請求項３】
建築物の施工の際に実施される工事監理の情報を提供する装置であって、
この装置は、その装置画面の構成として、
工事監理項目とその監理結果の一覧ならびに建築物に関する設計・施工図書の項目の一覧を表示する第１層情報画面と、
上記一覧表示された上記工事監理項目の詳細な内容または上記設計・施工図書の項目に対応する図面の内容を各項目別に表示する第２層情報画面とを有することを特徴とする工事監理情報の提供装置。
【請求項４】
上記設計・施工図書は、建築物の外観図、平面図、立面図のすべて、または、そのいずれか二つの図面の組み合わせからなることを特徴とする請求項２ないし請求項３に記載の工事監理情報の提供装置。
【請求項５】
建築物の施工の際に実施される工事監理の情報を提供する複合帳票であって、
この複合帳票は、工事監理項目とその監理結果の一覧を表示する第１層情報帳票を具備することを特徴とする工事監理情報の複合帳票。
【請求項６】
上記第１層情報帳票の中に、さらに建築物に関する設計・施工図書の項目の一覧が含まれていることを特徴とする請求項５に記載の工事監理情報の複合帳票。
【請求項７】
建築物の施工の際に実施される工事監理の情報を提供する複合帳票であって、
この複合帳票は、
工事監理項目とその監理結果の一覧ならびに建築物に関する設計・施工図書の項目の一覧を表示する第１層情報帳票と、
上記一覧表示された上記工事監理項目の詳細な内容または上記設計・施工図書の項目に対応する図面の内容を各項目別に表示する第２層情報帳票とを具備すること
を特徴とする工事監理情報の複合帳票。
【請求項８】
上記設計・施工図書は、建築物の外観図、平面図、立面図のすべて、または、そのいずれか二つの図面の組み合わせからなることを特徴とする請求項５ないし請求項７に記載の工事監理情報の複合帳票。
【発明の詳細な説明】
【０００１】
【発明の属する技術分野】
本発明は、戸建住宅またはマンションその他の集合住宅等、各種建築物の施工の際に実施される工事監理の情報を提供する装置または複合帳票に関し、特に建築士や工事業者等の専門家以外の誰でも簡単に、工事監理の内容とその監理結果の判断・判定を把握できるようにしたものである。
【０００２】
【従来の技術】
建築物の工事監理業務は、建築基準法に基づき、建築現場で工事業者立会いの下に一級建築士、二級建築士若しくは木造建築士が実施する。その際に、建築工事が実際の図面通りに行なわれているかをチェックし、不都合な箇所があるときはそれを指摘して手直しを求める。そして、最終的に工事監理業務の記録が行なわれる。
【０００３】
しかし、その工事監理業務の記録は、建築士や工事業者等の専門家以外の者にとっては図面の内容の理解が必要であり、工事監理の内容とその監理結果の判断・判定基準の把握は難しい。
【０００４】
【発明が解決しようとする課題】
本発明は、上記問題点を解決するためになされたものであり、その目的とするところは、建築士や工事業者等の専門家以外の誰でも簡単に工事監理の内容とその監理結果の判断・判定を把握することができ、また利便性（使い勝手）のよい工事監理情報を提供できるようにすることにある。
【０００５】
【課題を解決するための手段】
上記目的を達成するために、本発明に係る装置は、建築物の施工の際に実施される工事監理の情報を提供する装置であって、この装置は、その装置画面の構成として、工事監理項目とその監理結果の一覧を表示する第１層情報画面を有することを特徴とするものである。
【０００６】
上記本発明に係る装置においては、上記第１層情報画面の中に、さらに建築物に関する設計・施工図書の項目の一覧が含まれている構成を採用することができる。
【０００７】
さらに、本発明に係る装置は、建築物の施工の際に実施される工事監理の情報を提供する装置であって、この装置は、その装置画面の構成として、工事監理項目とその監理結果の一覧ならびに建築物に関する設計・施工図書の項目の一覧を表示する第１層情報画面と、上記一覧表示された工事監理項目の詳細な内容または上記設計・施工図書の項目に対応する図面の内容を各項目別に表示する第２層情報画面とを有することを特徴とするものである。
【０００８】
上記目的を達成するために、本発明に係る複合帳票は、建築物の施工の際に実施される工事監理の情報を提供する複合帳票であって、この複合帳票は、工事監理項目とその監理結果の一覧を表示する第１層情報帳票を具備することを特徴とするものである。
【０００９】
上記本発明に係る複合帳票においては、上記第１層情報帳票の中に、さらに建築物に関する設計・施工図書の項目の一覧が含まれている構成を採用することができる。
【００１０】
さらに、本発明に係る複合帳票は、建築物の施工の際に実施される工事監理の情報を提供する複合帳票であって、この複合帳票は、工事監理項目とその監理結果の一覧ならびに建築物に関する設計・施工図書の項目の一覧を表示する第１層情報帳票と、上記一覧表示された工事監理項目の詳細な内容または上記設計・施工図書の項目に対応する図面の内容を各項目別に表示する第２層情報帳票とを具備することを特徴とするものである。
【００１１】
上記本発明に係る装置または複合帳票において、上記設計・施工図書は、建築物の外観図、平面図、立面図のすべて、または、そのいずれか二つの図面の組み合わせからなるものとしてもよい。
【００１２】
【発明の実施の形態】
以下、本発明の実施形態について図１乃至図４を用いて詳細に説明する。
【００１３】
本発明の装置は建築物の施工の際に実施される工事監理の情報を提供する装置であり、この装置は市販のパソコン、たとえばＩｎｓｐｉｒｏｎ８２００（デルコンピュータ株式会社の製品）またはこれと同等のＷｉｎｄｏｗｓ（登録商標）版パソコンにより構成することができる。
【００１４】
図１乃至図４は本装置を構成するパソコンを用い、ＨＴＭＬ（Ｈｙｐｅｒ　Ｔｅｘｔ　Ｍａｒｋｕｐ　Ｌａｎｇｕａｇｅ）で記述することにより実現できる画面表示例を示したものであり、この図１乃至図４に示す画面１０、１２０、２０、４０、２１０、２２０、２３０、２４０、２５０、４１０、４５０、４９０は、多層リンク構造を採り、かつ同パソコンのモニタ（装置画面）に表示される。
【００１５】
図１は工事監理報告書の画面表示例である。図１の画面１０がトップ画面としてパソコンのモニタに表示される。同図の画面１０には「工事監理報告書」というタイトル表示と、その下に「ＸＸ様邸新築工事」という顧客特定表示が設けられている。さらに、この画面１０には建築物（ＸＸ様邸新築住宅）の三次元の外観図画像１１と、その横隣に「１．まとめ表」、「２．工事監理」、「３．その他（図書類）」と表示された３つのボタンマーク１２、１３、１４が配置される。これらのボタンマーク１２、１３、１４をパソコンのマウスでクリックすると、クリックしたボタンマークにリンクしている下層（下位）の画面にジャンプする。たとえば「１．まとめ表」のボタンマーク１２をクリックすると、図１の画面１２０がポップアップ表示される。
【００１６】
図１の画面１２０は第１層情報画面であり、この画面１２０には、第１層情報として、工事監理項目とその監理結果の一覧Ａが表示される。この一覧Ａの中には「１．地盤調査」、「２．基礎」、「３．構造材接合部」、「４．屋根」、「５．断熱材」という５つの工事監理項目のボタンマーク１２６、１２７、１２８、１２９、１３０が配置され、その各工事監理項目に対応する監理結果は「ＯＫ」という文字で表示される。したがって、この「ＯＫ」の文字をみれば誰でも容易に各工事監理が無事済んでいることが一目で分かる。また、この一覧Ａ中の工事監理項目の欄には工事監理項目ごとに工事監理の実施年月日も表示されている。
【００１７】
図１の画面１２０には、さらに建築物（ＸＸ様邸新築住宅）に関する設計・施工図書の項目の一覧Ｂが表示される。この一覧Ｂの中には「立面図」、「立面図」という２つの図面のボタンマーク１２４、１２５が配置されている。これらのボタンマーク１２４、１２５のいずれかをクリックすると、そのクリックしたボタンマークにリンクしている下層の画面（第２層情報画面）にジャンプする。たとえば「立面図」のボタンマーク１２４をクリックすると、図示は省略するが立面図の詳細な内容を表示した画面にジャンプすることができる。この立面図の詳細内容の画面は図４の配置図の画面４５０等と同じ階層にある。
【００１８】
図１の画面１２０には、その画面上部側に横一列に並んで「まとめ表」、「工事監理」、「その他（図書類）」と表示された３つのボタンマーク１２１、１２２、１２３も配置されている。図１の画面１２０では「まとめ表」のボタンマーク１２１がハイライト（文字白抜き）表示されている。これは図１の画面１０において「まとめ表」のボタンマーク１２がクリックされてこの画面１２０にジャンプしたためである。
【００１９】
図１の画面１２０において、「工事監理」のボタンマーク１２２をクリックしたときは、図２の画面２０がポップアップ表示される。画面２０は図２の説明のときに詳細に説明する。画面１２０において、「その他（図書類）」のボタンマーク１２３をクリックしたときは、図４の画面４０がポップアップ表示される。画面４０は図４の説明のときに詳細に説明する。
【００２０】
図１の画面１２０において、工事監理項目のボタンマーク１２６〜１３０のいずれかをクリックしたときは、クリックした工事監理項目とリンクしかつ工事監理項目別にその詳細な内容を表示してなる下層の画面（第２層情報画面）、すなわち図２の画面２１０、２２０、２３０、２４０、２５０へジャンプする。たとえば「１．地盤調査」のボタンマーク１２６をクリックすると、その地盤調査の詳細な内容を表示した図２の画面２１０にジャンプする。この図２の画面２１０の詳細は図３に示されているので図３の説明のときに説明する。
【００２１】
図２は、工事監理詳細の画面表示例として、図１の画面１０において「工事監理」のボタンマーク１３がクリックされたときにジャンプし表示される画面２０と、この画面２０内のボタンマーク２１、２２、２３、２４、２５がクリックされたときにジャンプし表示される画面２１０、２２０、２３０、２４０、２５０を示したものである。
【００２２】
図２の画面１０には、図１の工事監理項目の一覧Ａより少し詳しい工事監理項目の一覧Ａ−１が表示され、かつ、それぞれの工事監理項目に対応するボタンマーク２１、２２、２３、２４、２５が配置される。これらのボタンマーク２１〜２５のいずれかをクリックすると、そのクリックされた工事監理項目とリンクしかつ工事監理項目の詳細な内容を表示してなる画面２１０、２２０、２３０、２４０、２５０へジャンプする。たとえばボタンマーク２１をクリックすると、地盤調査の詳細情報を表示した画面２１０（図３参照）にジャンプする。
【００２３】
図２の画面２０にも図１の画面１２０と同様に「まとめ表」、「工事監理」、「その他（図書類）」という３つのボタンマーク１２１、１２２、１２３が表示されている。この画面２０は図１の画面１０において「工事監理」のボタンマーク１３がクリックされたときにジャンプし表示された画面であるので、「工事監理」のボタンマーク１２２がハイライト（文字白抜き）表示されている。
【００２４】
図２の画面２０において「まとめ表」のボタンマーク１２１をクリックしたときは図１の画面１２０へジャンプする。また、この画面２０において「その他（図書類）」のボタンマーク１２３をクリックしたときは図４の画面４０へジャンプする。
【００２５】
図３は、画面２１０として工事監理・地盤調査の画面表示例を示したものである。この画面２１０の内容は建築基準法、設計・施工図書に基づいて規定された項目や現場写真、判定内容等を一覧表示した例である。
【００２６】
図４は、その他詳細の画面表示例を示したものである。この図４の画面４０は図１の一覧Ｂより詳しい設計・施工図書の一覧Ｂ−１を表示したものであり、この一覧Ｂ−１には９種類の図面の名称、具体的には▲１▼配置図、▲２▼平面図、▲３▼立面図、▲４▼断面図、▲５▼矩形図、▲６▼構造図（基礎伏図、各階伏図、軸組図等）、▲７▼電気設備図、▲８▼給排水衛生設備図、▲９▼その他（建具表、造作家具表ほか）という図面の名称が例示列挙され、かつ、それぞれの図面の詳細な内容を表示した画面、たとえば画面４１０、４９０、４５０へジャンプするためのボタンマーク４１、４２、４３、４４、４５、４６、４７、４８、４９が配置されている。これらのボタンマーク４１〜４９のいずれかをクリックすると、クリックされた図面の詳細内容の画面４１０〜４９０へジャンプする。これらの図面は建築基準法に基づき建築士が作成したものである。
【００２７】
以上、図１乃至図４において説明した画面はいずれもＨＴＭＬで記述した例であるが、これ以外に他に日本オラクル株式会社が提供しているソフトでの画面構築例（ｈｔｔｐ：／／ｗｗｗ．ｏｒａｃｌｅ．ｃｏ．ｊｐ／９ｉ／ＡＰ／ｖｏｌ３／ｉｍａｇｅ／ａｌｐｓ２．ｇｉｆ）や株式会社日立製作所が販売しているレイアウトマネージャーセット（刊行物：はいたっく２００１−１２、頁２７、ｈｔｔｐ：／／ｗｗｗ．ｈｉｔａｃｈｉ．ｃｏ．ｊｐ／ｓｃｂａｎｋ／）を用いても同等のサービスが実現できる。
【００２８】
図１乃至図４において説明した画面は、その内容を画面ごとにそのまま印刷し複合帳票の形で提供することもできる。この場合、複合帳票は、第１層情報帳票を具備するか、少なくともこの第１層情報帳票とその下層に配置される第２層情報帳票とを具備するものとし、かつ、第１層情報帳票には、第１層情報画面である図１の画面１２０の内容が印刷表示され、第２層情報帳票については、第２層情報画面である図２の画面２１０、２２０、２３０、２４０、２５０や図４の画面４１０、４５０、４９０等の内容を画面ごとにそれぞれ印刷表示したものを用いるものとする。
【００２９】
【発明の効果】
本発明によると、第１層情報画面（または第１層情報帳票）に、工事監理項目とその監理結果の一覧が含まれ、このような一覧性をもった形で工事監理の情報が提供される構成を採用したため、建築物に関する専門知識を有しない者（たとえば建築主）でも建築物の工事監理の内容とその監理結果の判断・判定を簡単に把握することができ、利用価値の高い工事監理情報の提供サービスを行なうことができる。
【００３０】
また、本発明において、工事監理項目とその監理結果の一覧ならびに建築物に関する設計・施工図書の項目の一覧を表示する第１層情報画面（または第１層情報帳票）と、上記工事監理項目の詳細な内容または上記設計・施工図書の項目に対応する図面の内容を表示する第２層情報画面（または第２層情報帳票）とを具備する構成を採用したものでは、まず（１）工事監理項目とその監理結果の一覧ならびに建築物に関する設計・施工図書の項目の一覧が表示され、この一覧表示にて工事監理の全体を把握し、次に（２）その工事監理項目の詳細な内容または設計・施工図書の項目に対応する図面の内容が個別表示され、この個別表示により工事監理の詳細な内容等を適宜把握することができるから、利便性（使い勝手）のよい工事監理情報を提供することもできる。
【図面の簡単な説明】
【図１】本発明により提供される「工事監理報告書」の画面表示例の説明図。
【図２】本発明により提供される「工事監理詳細」の画面表示例の説明図。
【図３】本発明により提供される「工事監理・地盤調査」の画面表示例の説明図。
【図４】本発明により提供される「その他詳細」の画面表示例の説明図。
【符号の説明】
１０　画面
１１　外観図画像
１２、１３、１４　ボタンマーク
１２０　画面（第１層情報画面）
１２１、１２２、１２３　ボタンマーク
１２４、１２５　ボタンマーク
１２６、１２７、１２８、１２９、１３０　ボタンマーク
２０　画面
２１、２２、２３、２４、２５　ボタンマーク
２１０、２２０、２３０、２４０、２５０　画面（第２層情報画面）
４０　画面
４１、４２、４３、４４、４５、４６、４７、４８、４９　ボタンマーク
４１０、４５０、４９０　画面（第２層情報画面）
Ａ　工事監理項目とその監理結果の一覧
Ａ−１　工事監理項目の一覧
Ｂ　建築物に関する設計・施工図書の項目の一覧
【図１】
2004070812.tif 000003
【図２】
2004070812.tif 000004
【図３】
2004070812.tif 000005
【図４】
2004070812.tif 000006